(57)【要約】  本発明は、テーブル上面に載置される荷重に関係なしで、テーブル上面の高低が容易に調節できるようにして着席者の体形に合うように調節して使用するようにする高低調節可能なテーブルに関するものであって、テーブル上面と、テーブル上面に連結される第１脚部、第１脚部に挟まれたり第１脚部が挟まれて長手方向に収縮及び延長可能で、テーブル上面が水平を維持するように支持するための第２脚部からなり、第１脚部及び第２脚部中の１つには調節孔が提供され、もう１つには調節溝が連続して多数提供される脚と、調節孔に提供されるナット、ナットと対向する位置の調節孔に挟まれて第１脚部及び第２脚部に接触固定され、一側の内壁に収容溝が形成される中空の固定具、固定具の収容溝に挟まれて固定具を押すための圧縮スプリングと、調節孔から固定具を貫通して先端がナットに離脱が防止されるようにねじ結合されてボルト部と使用者の手で把持して回転させるための取っ手部が備えられる調節ノブからなる可動制御部材とを含んでなり、調節ノブが脚から最大に離隔した時、固定具が前記圧縮スプリングの弾性力を克服して後進しながら脚の長さを自由に収縮及び延長させることができ、調節ノブが前記脚に向かって最大に接近した時、固定具は、調節ノブにより揺らぎが制限されて脚が固定されることを特徴とする。
2008521478.tif 000002
【特許請求の範囲】
【請求項１】
テーブル上面と、
前記テーブル上面に連結される第１脚部、前記第１脚部に挟まれたり前記第１脚部が挟まれて長手方向に収縮及び延長が可能であり、前記テーブル上面が水平を維持するように支持するための第２脚部からなり、前記第１脚部及び前記第２脚部の中の１つには調節孔が提供され、もう１つには調節溝が連続して多数提供される脚と、
前記調節孔に提供されるナット、前記ナットと対向する位置の前記調節孔に挟まれて前記第１脚部及び第２脚部に接触固定され、一側の内壁に収容溝が形成される中空の固定具、前記固定具の収容溝に挟まれて前記固定具を押すための圧縮スプリングと、
前記調節孔から前記固定具を貫通して先端が前記ナットに離脱が防止されるようにねじ結合されてボルト部と使用者の手で把持して回転させるための取っ手部が備えられる調節ノブからなる可動制御部材とを含んでなり、
前記調節ノブが前記脚から最大に離隔した時、前記固定具が前記圧縮スプリングの弾性力を克服して後進しながら前記脚の長さを自由に収縮及び延長させることができ、前記調節ノブが前記脚に向かって最大に接近した時、前記固定具は、前記調節ノブにより揺らぎが制限されて脚が固定されることを特徴とする高低調節可能テーブル。
【請求項２】
前記調節ノブのボルト部の先端には前記ナットから抜けないように固定ピンで固定させたことを特徴とする請求項１記載の高低調節可能テーブル。
【請求項３】
テーブル上面と、
前記テーブル上面に連結される第１脚部、前記第１脚部に挟まれたり前記第１脚部が挟まれて長手方向に収縮及び延長可能で、前記テーブル上面が水平を維持するように支持するための第２脚部からなり、前記第１脚部及び前記第２脚部中の１つには調節孔が提供され、もう１つには調節溝が連続して多数提供されている脚と、
前記脚の第２脚部に連結されて前記第２脚部が垂直に立てられるように支持するための支持部と、
前記支持部の間に高低調節可能な踏み台と、
前記調節孔に提供されるナット、前記ナットと対向する位置の前記調節孔に挟まれて前記第１脚部及び第２脚部に接触固定され、一側の内壁に収容溝が形成される中空の固定具、前記固定具の収容溝に挟まれて前記固定具を押すための圧縮スプリングと、
前記調節孔から前記固定具を貫通して先端が前記ナットに離脱防止されるようにねじ結合されてボルト部と使用者の手で把持して回転させるための取っ手部が備えられる調節ノブからなる可動制御部材とを含んでなり、
前記調節ノブが前記脚から最大に離隔した時、前記固定具が前記圧縮スプリングの弾性力を克服して後進しながら前記脚の長さを自由に収縮及び延長させることができ、前記調節ノブが前記脚に向かって最大に接近した時、前記固定具は前記調節ノブにより揺らぎが制限されて脚が固定されることを特徴とする高低調節可能テーブル。
【請求項４】
前記踏み台の高低を調節するために、前記支持部の間に支持フレームが備えられ、前記支持フレームの自由端部は、前記脚の第２脚部に向かって傾斜状に折曲げられ、前記支持フレームの自由端部に多数の係止溝が形成される多段係止具を結合し、前記踏み台の両端には前記多段係止具の係止溝中の１つに位置させるように固定孔が形成された連結部が一体形成されたことを特徴とする請求項３記載の高低調節可能テーブル。
【発明の詳細な説明】
【発明の詳細な説明】
【０００１】
〔技術分野〕
本発明は、高低調節可能なテーブルに関し、より詳しくは、テーブル上面（table top）に載置される荷重に関係なしで、テーブル上面の高低が容易に調節できるようにして着席者（user）の体形に合うように調節して使用するようにし、テーブルの支持台に提供された踏み台の高さが調節できるようにして着席者の体形に合うように便利に使用できるようにした高低調節可能な改良されたテーブルに関する。
【０００２】
〔背景技術〕
学校や現代の事務室や産業環境は多様な類型の機能的な家具成分を有する作業区域を提供する。これら家具成分は製図（drafting）から書記及びワードプロセシング（word processing）機能に至るまで多様な目的で利用される作業面及びテーブル上面が含まれる。したがって、これら表面はタイプライタ（typewriter）及びコンピュータ端末機（terminals）のような多様な設備が支持できるようにしなければならない。また、これら表面は多様な仕事と多様な使用者が容易に便宜を図ることができるように垂直に調節できなければならない。これに対してはテーブルの支持台に提供される踏み台も同様であるが、多様な使用者が便利に利用できるように踏み台の高さを調節できなければならない。
【０００３】
特に、このようなテーブルは、小学校や中、高校及び大学の場合に一層深刻な実状である。即ち、同じ教室で授業を受ける同級生の場合でも個人間の身体条件は相当な差がある。しかしながら、このような校具用テーブルは多数の学生の平均的な身体条件を勘案して段階別に規格化したサイズで製作されたものが使われている。このため、身体サイズに合わない校具用テーブルを使用する学生に相当な不便さがあった。
【０００４】
前述した高低調節可能テーブルの１つの類型は１９９４年３月１日付でJohn J. Rizziなどにより公開された米合衆国特許番号第５、２８９、７８２号には“高低調節可能テーブル”が提案されたことがある。これは、従来技術の一例を示した高低調節可能テーブルを示す図９に図示されている。図９に図示したように、従来のテーブル１０はテーブル上面１２と、そのテーブル上面１２に連結される第１脚部１４ａと、その第１脚部１４ａに挟まれて、その第１脚部１４ａが昇降または下降可能に提供される第２脚部１４ｂが備えられる１対の収縮及び延長可能な脚（telescoping legs）１４と、一対の脚の間間に配置され提供される重量手段（図示していない）を含む平衡メカニズム１６と、脚１４の第２脚部１４ｂの下段に提供される１対の支持台１８から構成された。しかしながら、このようなテーブルはテーブル上面の高低を調節するための装置であって、ラック、ピニオン、チェーンなどからなる重量手段が備えられた平衡メカニズム装置（counterbalance mechanism）を利用しなければならなかったので、装置の複雑化により生産性低下及び大量生産の不適合などの問題があった。その上、テーブルの支持台に備えられた踏み台１９は高さが調節できない構造であるので、多様な体形の使用者に不便を与えた。
【０００５】
次に、２００４年７月１日付で株式会社ＬＩＶＡＲＴに許与された大韓民国実用新案登録番号第２０−０３５５９４５号には“テーブル高低調節装置”が提案されたことがある。これは、従来技術の他の例を見せたテーブル高低調節装置を示す図１０に図示される。図示したように、従来のテーブル高低調節装置２０は、テーブル２２と、そのテーブルの２２の底面に下方に突出する１対の移動支持台２４、その移動支持台２４が挟まれてスライディング案内されるように内部が中空で形成されるメーン支持台２６と、そのメーン支持台２６の下段に直角に連結される支持台２８からなる。この際、移動支持台２４の一側面の長手方向に沿って多数個の固定孔２４ａが規則的に形成され、メーン支持台２６の一側面には多数の固定孔２４ａ中の１つと対応する貫通孔２６ａが形成され、メーン支持台２６の一側には固定帯２９ａにより連結する固定ノブ２９が貫通孔２６ａを通じて固定孔２４ａに結合される構成を有していた。しかしながら、このような株式会社ＬＩＶＡＲＴの従来技術は、固定ノブが移動支持台の固定孔とメーン支持台の貫通孔から抜ける構成であるので、また結合する過程に困難性があった。その上、使用者の足を支持してくれることができる踏み台の構成に対しては全く内容がなかった。
【０００６】
〔発明の開示〕
〔発明が解決しようとする課題〕
したがって、本発明は上記のような問題点を解決するためのものであって、本発明の目的は、調節ノブの簡単な操作によりテーブル上面の高低を簡単に調節することができ、調節ノブが第２脚部に挟まれた状態で完全に脱去しなくてもテーブル上面の高低が調節できることになって、操作上の便利さが得られる高低調節可能テーブルを提供することにある。
【０００７】
本発明の他の目的は、テーブルの支持台に設置された踏み台を高低調節可能に設置することによって、使用者の体形によって高低を便利に調節して使用者の便利さが得られる高低調節可能テーブルを提供することにある。
【０００８】
〔課題を解決するための手段〕
上記の目的を達成するために、本発明は、テーブル上面と、テーブル上面に連結される第１脚部、第１脚部に挟まれたり第１脚部が挟まれて長手方向に収縮及び延長が可能であり、テーブル上面が水平を維持するように支持するための第２脚部からなり、第１脚部及び第２脚部中の１つには調節孔が提供され、もう１つには調節溝が連続して多数提供される脚と、調節孔に提供されるナット、ナットと対向する位置の調節孔に挟まれて第１脚部及び第２脚部に接触固定され、一側の内壁に収容溝が形成される中空の固定具、固定具の収容溝に挟まれて固定具を押すための圧縮スプリングと、調節孔から固定具を貫通して先端がナットに離脱が防止されるようにねじ結合されてボルト部と使用者の手で把持して回転させるための取っ手部が備えられる調節ノブからなる可動制御部材とを含んでなり、調節ノブが前記脚から最大に離隔した時、固定具が前記圧縮スプリングの弾性力を克服して後進しながら前記脚の長さを自由に収縮及び延長させることができ、調節ノブが脚に向かって最大に接近した時、固定具は、調節ノブにより揺らぎが制限されて脚が固定されることを特徴とする高低調節可能テーブルを提供することにある。
【０００９】
好ましくは、調節ノブのボルト部の先端にはナットから抜けないように固定ピンで固定させる。
【００１０】
上記の他の目的を達成するために、本発明は、テーブル上面と、テーブル上面に連結される１対の中間支持部と、各々の中間支持部に連結される第１脚部、第１脚部が乗降または下降可能に挟まれる第２脚部を含む１対の収縮及び延長可能な脚と、脚の下段に連結される１対の踏み台と、脚の第２脚部に形成された調節孔部位に分離されないように一体結合されて第１脚部の乗降及び下降を制御するための稼動制御部材と、支持部の間に高低調節可能な踏み台が提供される高低調節可能テーブルを提供することにある。
【００１１】
好ましくは、踏み台の高低を調節するために、支持部の間に支持フレームが備えられ、支持フレームの自由端部は、脚の第２脚部に向かって傾斜状に折曲げられ、支持フレームの自由端部に多数の係止溝が形成される多段係止具を結合し、踏み台の両端には多段係止具の係止溝中の１つに位置させるように固定孔が形成された連結部が一体形成される。
【００１２】
〔発明の効果〕
以上、言及したように、本発明の好ましい実施形態による高低調節可能なテーブルは、テーブル上面と連結された第１脚部に多数の固定溝を形成し、このような第１脚部を第２脚部の中空で昇降または下降可能に配置し、第２脚部に提供された固定部材により第１脚部の昇降または下降を制御するようにすることで、使用者の体形によって調節ノブの簡単な回転動作だけで、テーブル上面の高低が調節できる効果が得られる。特に、調節ノブが第２脚部から抜けないので、可動が非常に簡便である。
【００１３】
その上、脚の支持部に多段係止部を有する支持フレームを提供し、踏み台を多段係止具に形成された多数の係止溝に選択的に挟むようにすることで、使用者の体形によって踏み台を多段係止具の係止溝の中の１つを取捨選択して挟んだり抜いたりする簡単な操作により高低を調節することができる。
【００１４】
〔発明を実施するための最良の形態〕
以下、添付した図面を参照しつつ本発明の実施形態による高低調節可能なテーブルについて詳細に説明する。
【００１５】
図１は、本発明の好ましい実施形態による高低調節可能なテーブルを示す。図２は、図１の高低調節可能なテーブルの結合状態を示している。図３は、図１の高低調節可能なテーブルの正断面図を示している。図４は、図３の“Ａ”部分拡大図であって、脚の第１脚部がロッキング（locking）された状態を示している。図５は、図３の“Ａ”部分拡大図であって、脚の第１脚部がアンロッキング（unlocking）された状態を示している。図６は、図３の“Ａ”部分拡大図であって、脚の伸縮及び延長可能な状態を示している。
【００１６】
図１乃至図６を参照すれば、本発明の高低調節可能なテーブル１００は、テーブル上面１１０、そのテーブル１１０の底面に垂直下方に連結される１対の中間支持部１２０、その中間支持部１２０の下段に垂直下方に高低調節可能に提供される多数個の収縮及び延長可能な脚１３０及び各々の脚１３０の下段に備えられる多数個の支持台１４０を含む。
【００１７】
これをより詳細に説明すれば、テーブル上面１１０は略平平な表面を有する形状のものが好ましい。
【００１８】
各中間支持部１２０は、テーブル上面１１０の底面の両側に垂直下方に向けるように提供される。各々の中間支持部１２０は、互いに離隔した状態で配置されるため、その中間を上部連結棒１２２により連結することが好ましい。
【００１９】
脚１３０は各々の中間支持部１２０の下段に垂直下方に向けるように提供される１対の第１脚部１３２とその第１脚部１３２が昇降または下降作動可能に挟まれる１対の第２脚部１３６を含む。第１脚部１３２は、外側面の周りに沿って所定間隔で多数の停止溝１３４を有することが好ましい。これら停止溝１３４は互いにに対して規則的な間隔で配置するが、必要によって不規則的な配列が可能である。第１脚部１３２は１対を１個組で形成することができる。これら第１脚部１３２は互いに対して所定の間隔で離隔した状態で配置する。これら第１脚部１３２に形成された停止溝１３４は互いに対向する方向に位置される。
【００２０】
第２脚部１３６の内部には上面が開放された状態の中空が提供される。第２脚部１３６の中空には第１脚部１３２が挟まれて垂直に上昇または下降作動される。第２脚部１３６には、第１脚部１３２の停止溝１３４の中の１つと対応した少なくとも１つの調節孔１３６ａが提供される。その調節孔１３６ａは第２脚部１３６の外周面の一側から他側まで完全に貫通される。各第２脚部１３６の間には下部連結棒１３８が提供される。その下部連結棒１３８の一側には固定ピン１５８などを設置するための孔とその孔を塞げる手段が提供されることができる。また、下部連結棒１３８は第２脚部１３６の他の部位に適用可能である。
【００２１】
図４乃至図６を参照すれば、第２脚部１３６の調節孔１３６ａには第１脚部１３２の上昇または下降作動を制御するための可動制御部材が提供される。可動制御部材は、下部連結棒１３８の両端と接触する調節孔１３６ａの部位に備えられる一体で備えられるナット１５０と、第２脚部１３６の調節孔１３６ａに挟まれて第１脚部１３２の停止溝１３４の中の１つに挟まれて固定され、一側の内壁に収容溝１５２ａが形成される中空の固定具１５２、その固定具１５２の収容溝１５２ａに挟まれて固定具１５２を押すために弾性力を提供するための圧縮スプリング１５４と、第２脚部１３６の調節孔１３６ａから固定具１５２を貫通して先端がナット１５０にねじ結合するボルト部１５６ａ、及び使用者の手で把持して回転させるための取っ手部１５６ｂが備えられる調節ノブ１５６を含んでなされる。ここで、調節ノブ１５６のボルト部１５６ａの先端には固定ピン１５８等で固定してナット１５０から抜けないように防止する。ここで、圧縮スプリング１５４の強さはテーブル上面１１０が自重により急激に下降することを防止するように強さを調節することが好ましい。
【００２２】
また、図１乃至図３を参照すれば、支持台１４０は第２脚部１３６の下段に水平に配置される。即ち、支持台１４０は垂直に立てられた第２脚部１３６に対して直角配列されることが好ましい。支持台１４０は、紙面やその他の作業場の表面に接触してテーブル１００自体を立てた状態で維持する役割を遂行する。
【００２３】
加えて、各々の支持台１４０の間には多段で高低調節可能な踏み台部材が更に設置されることができる。踏み台部材は、各支持台１４０の間に提供されて自由端部が脚１３０の第２脚部１３６に向かって傾斜状で折曲げられる支持フレーム１６０、その支持フレーム１６０の折曲げられた自由端部に結合され、底面には多数個の係止溝１６２ａが階段形態で提供される多段係止具１６２、その多段係止具１６２に挟まれて多段で高低調節可能な踏み台１６４を含む。特に、踏み台１６４は、使用者が足を上げて接触する足支持部１６６、その足支持部１６６の両側に係止孔１６８ａを有する連結部１６８が一体で延びる。足支持部１６６の上面には足が接触する時に滑りが防止できるように多数の溝が形成されることができる。多段係止具１６２には踏み台１６４の連結部１６８に形成された係止孔１６８ａを通過した後、連結部１６８が多段係止具１６２の係止溝１６２ａの中の１つに掛かって固定される。
【００２４】
以上、言及したように構成された高低調節可能なテーブルの作用説明を添付した図７と図８を参照しつつ詳細に説明すれば、次の通りである。
【００２５】
図７は、図２のＢ−Ｂ線によるテーブルの側断面図であって、テーブル上面及び踏み台の高さを高くした状態を示している。図８は、図２のＢ−Ｂ線によるテーブルの側断面図であって、テーブル上面及び踏み台の高さを低くした状態を示している。
【００２６】
図７を参照すれば、テーブル１００の使用者が体形が大きい場合、まず調節ノブ１５６を時計または反時計方向に回転させれば、調節ノブ１５６の取っ手部１５６ｂは圧縮スプリング１５４の圧縮状態を解除すると共に、動かないように押していた固定具１５２から所定間隔で離隔する。そうすると、固定具１５２は、外部の力、即ち第１脚部１３２の動く力により取っ手部１５６ｂの方向に向けて後進する。この際、第１脚部１３２の動く力が圧縮スプリング１５４の弾性力より大きい状態となる。したがって、固定具１５２は第１脚脚部１３２の停止溝１３４から抜け出る。この時には、調節ノブ１５６の取っ手部１５６ｂによる押す力はなくなる代わり、圧縮スープと１５４のみの弾性力のみ固定具１５２を第１脚部１３２の停止溝１３４の方向に向けて押す力が存在する（図５及び図６参照）。そうすると、使用者の小さな力だけでもテーブル上面１１０の高低を容易に調節できることになる。この状態で、使用者の体形に合うようにテーブル上面１１０を高く引いて高さを高く合せる。
【００２７】
次に、調節ノブ１５６を以前とは反対に回転させる。そうすると、調節ノブ１５６の取っ手部１５６ｂは圧縮スプリング１５４を押すことになり、結局、固定具１５２を第１脚部１３２の固定溝１３４に挟まれた状態で固定させることになる。ここに、第１脚部１３２は第２脚部１３６の中空内で動かないで固定される（図４参照）。
【００２８】
また、図７に示すように、踏み台１６４を多段係止具１６２の最下段位置（破線）の係止溝１６２の位置から最上段位置（実線）に移動させる。このために、使用者は踏み台１６４を最下段位置の係止溝１６２ａから取り出して最上段位置に挟んで結合させる簡単な操作によりなされる。
【００２９】
逆に、図８を参照すれば、使用者の体形が小さな場合、前述したように、調節ノブ１５６の回転による第１脚部１３２のロッキング状態を解除した後、テーブル上面１１０を必要な高さまで降りる。次に、また調節ノブ１５６の回転による第１脚部１３２のロッキング状態にしてテーブル上面１１０が動かないように固定させる。
【００３０】
併せて、踏み台１６４は使用者の体形に合うように、踏み台１６４を最上段位置（破線）から最下段位置（実線）に移動させて合せて使用すればよい。
【００３１】
以上、本発明を前述した実施形態により具体的に説明したが、本発明はこれに限るのでなく、該当技術分野の熟練した当業者は通常の知識の範囲内でその変形や改良が可能である。
【図面の簡単な説明】
【００３２】
【図１】本発明の好ましい実施形態による高低調節可能なテーブルの一部分解斜視図である。
【図２】図１の高低調節可能なテーブルの結合状態斜視図である。
【図３】図１の高低調節可能なテーブルの正断面図である。
【図４】図３の“Ａ”部分拡大図であって、脚の第１脚部がロッキング（locking）された状態の図である。
【図５】図３の“Ａ”部分拡大図であって、脚の第１脚部がアンロッキング（unlocking）された状態の図である。
【図６】図３の“Ａ”部分拡大図であって、脚の伸縮及び延長可能な状態の図である。
【図７】図２のＢ−Ｂ線によるテーブルの側断面図であって、テーブル上面及び踏み台の高さを高くした状態の図である。
【図８】図２のＢ−Ｂ線によるテーブルの側断面図であって、テーブル上面及び踏み台の高さを低くした状態の図である。
【図９】従来技術の一例を示す高低調節可能なテーブルの斜視図である。
【図１０】従来技術の他の例を示すテーブル高低調節装置の斜視図である。
【図１】
2008521478.tif 000003
【図２】
2008521478.tif 000004
【図３】
2008521478.tif 000005
【図４】
2008521478.tif 000006
【図５】
2008521478.tif 000007
【図６】
2008521478.tif 000008
【図７】
2008521478.tif 000009
【図８】
2008521478.tif 000010
【図９】
2008521478.tif 000011
【図１０】
2008521478.tif 000012
【手続補正書】
【提出日】平成19年5月31日(2007.5.31)
【手続補正１】
【補正対象書類名】図面
【補正対象項目名】図２
【補正方法】変更
【補正の内容】
【図２】
2008521478.tif 000013
【手続補正２】
【補正対象書類名】図面
【補正対象項目名】図４
【補正方法】変更
【補正の内容】
【図４】
2008521478.tif 000014
【手続補正３】
【補正対象書類名】図面
【補正対象項目名】図５
【補正方法】変更
【補正の内容】
【図５】
2008521478.tif 000015
【手続補正４】
【補正対象書類名】図面
【補正対象項目名】図６
【補正方法】変更
【補正の内容】
【図６】
2008521478.tif 000016
【国際調査報告】
2008521478.tif 000017
2008521478.tif 000018